(57)【要約】【課題】傾斜したコンソールの上方に水平面を形成し、荷物を安定して載置することができるとともに、荷物を載置しないときには嵩張らなくすることができるコンソールテーブルを提供する。【解決手段】コンソールテーブルを傾斜部を持つコンソールとテーブル体とから構成し、このうちテーブル体を、コンソールと一体になった収納位置およびコンソールから延びて傾斜部の上部で水平面を形成する使用位置でそれぞれ保持されるものとする。また、コンソールテーブルを傾斜部を持つコンソールと一対の脚体とから構成し、このうち脚体を、コンソールと一体になった収納位置およびコンソールの左右両側から突出し上面が傾斜部の上方で水平面を形成する使用位置でそれぞれ保持されるものとする。【選択図】図１
2005112084.tif 000002
【特許請求の範囲】
【請求項１】
上面が前端に向かって下方に傾斜する傾斜部を持ち運転席横に設けられたコンソールと、該コンソールと一体になった収納位置および該コンソールから延びて該傾斜部の上部で水平面を形成する使用位置でそれぞれ保持されるテーブル体と、からなることを特徴とするコンソールテーブル。
【請求項２】
上面が前端に向かって下方に傾斜する傾斜部を持ち運転席横に設けられたコンソールと、該コンソールと一体になった収納位置および該コンソールの左右両側から突出し上面が該傾斜部の上方で水平面を形成する使用位置でそれぞれ保持される一対の脚体と、からなることを特徴とするコンソールテーブル。
【請求項３】
前記テーブル体は前記コンソールに設けられたガイド溝に前後方向にスライド移動自在に取りつけられている請求項１に記載のコンソールテーブル。
【請求項４】
前記ガイド溝は前記コンソール側部の意匠見切り線上に形成されている請求項３に記載のコンソールテーブル。
【請求項５】
前記テーブル体は、略平板状のテーブル板部と該テーブル板部の下方に突出する突起部とを持ち、該突起部が前記コンソールの前端部に設けられ上方に開口する孔状のカップホルダ孔内に挿入されて前記使用位置で保持される請求項１に記載のコンソールテーブル。
【発明の詳細な説明】
【技術分野】
【０００１】
本発明は、自動車の運転席横に設けられ種々の荷物を載置するコンソールテーブルに関する。
【背景技術】
【０００２】
自動車の運転席横に設けられるコンソールには、シフトノブ等の操作手段や、内部に種々の物品を収納可能なコンソールボックス等が設けられることが一般的である。
【０００３】
コンソールは、狭い空間である車室内を有効に利用する観点や意匠上の理由等により、上面が前端に向かって下方に傾斜した形状に形成される場合がある。この場合、コンソール上面は水平面とならないために、例えば、飲料品を収容する容器等の水平面でない箇所に載置すると内容物が溢れるような荷物や、ノートパソコン等の比較的大型の荷物を安定して載置できない場合があった。
【０００４】
このため近年では、これらの種々の荷物を載置可能なテーブル体をコンソールの上方に設けることが為されている（例えば、特許文献１、特許文献２）。
【０００５】
特許文献１に開示されるコンソールテーブルは、コンソールの上面に略箱状のテーブル体を係止し取付して、このテーブル体に荷物を載置するものである。しかし特許文献１に開示されるコンソールテーブルは、荷物を載置しない際には嵩張り、また、取り外した際には収納する場所がないため、狭い車室内にそぐわない問題があった。そして、コンソールの上面が傾斜している場合には、テーブル体もまたコンソールの上面にあわせて傾斜する。したがって、この場合テーブル体の上面が水平面とならないため、テーブル体の上に載置した荷物が安定して保持されない問題もあった。
【０００６】
特許文献２のコンソールテーブルは、テーブル体がコンソールボックスのリッドと一体に形成されているものである。このテーブル体は、使用時にはコンソール上部に展開されるとともに非使用時にはコンソール内部に収納されるため、荷物を載置しない際にはテーブル体をコンソールボックス内に収納することで、コンソールテーブルは嵩張らないものとなる。しかし、特許文献２のコンソールテーブルは構造が複雑であり、部品点数が多いことから製造コストが高くなる問題や製造の際の組み立て工程に高い精度を要する問題があった。そして構造が複雑であることから、コンソールテーブルの強度は比較的低くなり、荷物が安定して保持されない問題があった。
【特許文献１】実開平２−３０７４２号公報
【特許文献２】実開平４−１４５４６号公報
【発明の開示】
【発明が解決しようとする課題】
【０００７】
本発明は、上記事情に鑑みてなされたものであり、傾斜したコンソールの上方に水平面を形成し、荷物を安定して載置することができるとともに、荷物を載置しないときには嵩張らなくすることができるコンソールテーブルを提供することを目的とする。
【課題を解決するための手段】
【０００８】
本発明の第１発明に係るコンソールテーブルは、上面が前端に向かって下方に傾斜する傾斜部を持ち運転席横に設けられたコンソールと、コンソールと一体になった収納位置およびコンソールから延びて傾斜部の上部で水平面を形成する使用位置でそれぞれ保持されるテーブル体と、からなることを特徴とする。
【０００９】
第１発明に係るコンソールテーブルにおいて上記テーブル体は上記コンソールに設けられたガイド溝に前後方向にスライド移動自在に取りつけられていることが好ましく、上記ガイド溝は上記コンソール側部の意匠見切り線上に形成されていることが好ましい。
【００１０】
また、第１発明に係るコンソールテーブルにおいて上記テーブル体は、略平板状のテーブル板部とテーブル板部の下方に突出する突起部とを持ち、突起部が上記コンソールの前端部に設けられ上方に開口する孔状のカップホルダ孔内に挿入されて上記使用位置で保持されることが好ましい。
【００１１】
本発明の第２発明に係るコンソールテーブルは、上面が前端に向かって下方に傾斜する傾斜部を持ち運転席横に設けられたコンソールと、コンソールと一体になった収納位置およびコンソールの左右両側から突出し上面が該傾斜部の上方で水平面を形成する使用位置でそれぞれ保持される一対の脚体と、からなることを特徴とする。
【発明の効果】
【００１２】
第１発明のコンソールテーブルによると、荷物を載置する際にはテーブル体を使用位置で保持することで傾斜部の上部に水平面を形成することができ、内容物が傾斜によって溢れるような種々の容器や、大型の荷物等を安定して載置することが可能となる。そして、荷物を載置しない際にはテーブル体を収納位置で保持することでコンソールテーブルを嵩張らなくすることができる。
【００１３】
第２発明のコンソールテーブルによると、荷物を載置する際には脚体を使用位置で保持し、コンソールの左右から突出する脚体の上面で水平面を形成することで、ノートパソコン等の大型の荷物を安定して保持することができる。そして、第１発明のコンソールテーブルと同様に荷物を載置しない際には脚体を収納位置で保持することで、コンソールテーブルを嵩張らなくすることができる。
【発明を実施するための最良の形態】
【００１４】
本発明の第１発明および第２発明に係るコンソールテーブルは、自動車の運転席四方に設けられたコンソールを持つ。このコンソールは、上面が前端に向かって下方に傾斜する傾斜部を持つ。コンソールは、上述したようにシフトノブ等の操作手段が設けられたものや、あるいは、コンソールボックス等の収納空間が設けられたもの等の種々のものとすることができる。
【００１５】
本発明の第１発明に係るコンソールテーブルは、さらに、テーブル体を備える。テーブル体は、少なくとも収納位置と使用位置との２つの位置でコンソールに保持される。このうち使用位置はコンソールから延びて傾斜部の上部で水平面を形成する位置である。テーブル体が使用位置に保持されることで、傾斜形状に形成されているコンソールの上方に水平面が形成されて、上述した種々の荷物を安定して保持することが可能となる。また、収納位置はテーブル体がコンソールと一体になった位置であり、テーブル体が収納位置に保持されることで、荷物を載置しないときにコンソールテーブルを嵩張らなくすることができる。収納位置としては、例えばコンソール内部等の位置が挙げられる。
【００１６】
テーブル体は、自身で水平面を形成できる形状であれば良く枠状や板状等の種々の形状のものとすることができる。テーブル体を板状のものとする場合にはテーブル体よりも小形の荷物を安定して載置することができる。また、テーブル体を枠状のものとする場合にも、テーブル体よりも大形の荷物であれば安定して載置することができる。さらにこの場合、枠状のテーブル板の上面に板状のテーブル板をさらに組み付けて枠状のテーブル体の枠内部にも荷物を載置することもできる。
【００１７】
本発明の第１発明に係るコンソールテーブルの一例を第１の実施形態として挙げ、以下に説明する。
【００１８】
（第１の実施形態）
本第１の実施形態のコンソールテーブルを表す模式斜視図を図１および図２に示す。尚、図１はテーブル体が使用位置に保持されている様子を表し、図２はテーブル体が収納位置に保持されている様子を表す。以下、コンソールテーブルの前、後、上、下、左、右とは、図１に示す前、後、上、下、左、右をいうものとする。
【００１９】
本第１の実施形態のコンソールテーブル１は、コンソール２とテーブル体３とを持つ。このコンソール２は、図２に示すように、上面５が前端に向かって下方に傾斜している。この傾斜した部分が傾斜部６となる。この傾斜部６には、小形の電気式のシフトノブ７が配設されている。また、コンソール２の後側には箱状の収納空間８が設けられている。この収納空間８には小形の荷物等が収容される。
【００２０】
テーブル体３は、平板状に形成されたテーブル板１０と、テーブル板１０の前側の左右端部に設けられている１対の前側突起部１１と、テーブル板１０の後側の左右端部に設けられている１対の後側突起部１２と、からなる。
【００２１】
各々の後側突起部１２は後下方に向かって延びている。また、各々の前側突起部１１は前下方に向かって延びるとともに、テーブル板１０に対して回動可能に枢支され、テーブル体３方向に折り畳みできるようになっている。そして、テーブル板１０の下側左右端部には前側突起部１１の形状に対応した形状の突起部収納凹部１３が設けられている。この突起部収納凹部１３はテーブル体３方向に折り畳まれた前側突起部１１の収納場所となる。
【００２２】
コンソール２の左右端側には、１対の前側突起部１１および１対の後側突起部１２に対応した位置に、前側突起部１１や後側突起部１２が挿入される固定孔１５が設けられている。テーブル体３の前側突起部１１を伸ばした状態で前側突起部１１および後側突起部１２を固定孔１５に挿入し固定することで、テーブル体３は使用位置に保持される。このとき、テーブル体３の上面１６は傾斜部６の上方で水平面ａを形成する。
【００２３】
また、コンソール２の収納空間８には、テーブル体３が収納される。コンソールテーブル１に荷物を載置しない場合には、テーブル体３の前側突起部１１および後側突起部１２を固定孔１５より抜き取ることでテーブル体３をコンソール２から取り外す。そして、テーブル体３の前側突起部１１を折り畳んで突起部収納凹部１３に収納し、テーブル体３を収納空間８内に収納する。このときのテーブル体３の位置がテーブル体３の収納位置となる。
【００２４】
本第１の実施形態のコンソールテーブル１によると、テーブル体の上面１６によってコンソール２の傾斜部６の上方に水平面ａが形成されるため、このテーブル体３に種々の荷物を安定して載置することが可能となる。そして、荷物を載置しないときにはテーブル体３は収納空間８内に収納されて収納位置に保持されるため、コンソールテーブル１を嵩張らなくすることができる。
【００２５】
ここで、テーブル体によって形成される水平面の大きさは、コンソールの大きさや載置しようとする荷物の大きさ等によって適宜設定することができる。さらに、テーブル体の上面と、このテーブル体の上面の延長面上にあるコンソールの上面の少なくとも一点とから水平面を構成することもできる。この場合には水平面がテーブル体の大きさよりも大きくなるために、より大形の荷物を安定して保持することが可能となる。
【００２６】
テーブル体は、コンソールに対して脱着可能に設けることもできるし、コンソールに対して変位可能に設けることもできる。すなわち、第１の実施形態のコンソールテーブル１のように、テーブル体をコンソールに対して脱着可能に設ける場合には、テーブル体を使用位置と収納位置との間で付け替えることで、荷物を載置する際にテーブル体を使用位置に保持し、荷物を載置しない場合には使用位置から一旦取り外して収納位置に再度保持することができる。この場合、比較的簡単な構造でテーブル体をコンソールに保持することができる。
【００２７】
一方、テーブル体をコンソールに対して変位可能に設ける場合には、テーブル体の使用位置から収納位置までの移動を比較的簡単な操作でおこなうことができる。特に、コンソールに前後方向に延びるガイド溝を設けて、テーブル体をこのガイド溝に前後方向にスライド移動自在に取りつける場合には、テーブル体を非常に簡単な構造でコンソールに保持することができるとともに、テーブル体を非常に簡単な操作で移動させることができる。
【００２８】
ここでコンソールは、別々に成形された複数の分体を組み立てて製造することが一般的である。このときコンソールには、分体同士の継ぎ目からなる意匠見切り線が形成される。テーブル体をガイド溝に前後方向にスライド移動自在に取りつける場合には、コンソールに設けるガイド溝をこの意匠見切り線上に形成することが好ましい。ガイド溝を別途設ける場合よりもコンソールが意匠性が優れたものとなるためである。
【００２９】
なお、テーブル体の使用位置から収納位置までの変位は、スライド移動だけでなくその他の種々の方法でおこなうこともできる。例えば、テーブル体をコンソールに回動可能に保持する場合には、テーブル体をコンソールに対して回動させることで使用位置から収納位置にまで変位させることができる。
【００３０】
本発明の第２発明に係るコンソールテーブルは、コンソールと一体になった収納位置およびコンソールの左右両側から突出し上面が傾斜部の上方で水平面を形成する使用位置でそれぞれ保持される一対の脚体をもつ。第２発明に係るコンソールテーブルでは、この脚体の上面を通る平面が水平面となり、例えば、ノートパソコン等のコンソールテーブルよりも大形の荷物を安定して載置することができる。
【００３１】
本発明の第２発明に係るコンソールテーブルの一例を第２の実施形態として挙げ、以下に説明する。
【００３２】
（第２の実施形態）
本第２の実施形態のコンソールテーブルを表す模式斜視図を図３（ａ）および図４（ａ）に示す。尚、図３（ａ）は脚体が収納位置に保持されている様子を表し、図４（ａ）は脚体が使用位置に保持されている様子を表す。また、収納位置における脚体の様子を表す模式拡大図を図３（ｂ）に示し、使用位置における脚体の様子を表す模式拡大図を図４（ｂ）に示す。さらに、本第２の実施形態のコンソールテーブルを表す模式側面図を図５に示す。
【００３３】
本第２の実施形態のコンソールテーブル１は、テーブル体のかわりに一対の脚体１８を持つ。コンソール２は、左右側面に脚体１８を収納する脚体収納凹部２０が設けられている以外は第１の実施形態のものとほぼ同形状である。
【００３４】
各々の脚体１８は、略台形状の平板面２１をもつ脚板２２を持つ。平板面２１の略台形状は、平板面２１の一辺である垂辺２３が上底２５と下底２６とに対して垂直となり、他の一辺である斜辺２７が上底２５と下底２６とに対して傾斜した形状である。
【００３５】
脚板２２は平板面２１の一方である内側面２８をコンソール２に向けてコンソール２に保持される。この内側面２８には２つの突起部３０が設けられている。突起部３０は、内側面２８の斜辺２７側の前端部と後端部との２箇所に設けられ、各々の突起部３０は内側面２８に対して略垂直方向に延びている。また、各々の突起部３０はコンソール２の脚体収納凹部２０に設けられている２つの固定孔１５に挿入され固定される。
【００３６】
脚体１８を収納位置で保持するとき、図３に示すように、脚板２２は垂辺２３を下方に向け斜辺２７を上方に向けるとともに内側面２８をコンソール２側に向けた状態となる。そしてこのとき、２つの突起部３０が固定孔１５に挿入され、脚板２２は脚体収納凹部２０内に収納される。
【００３７】
このとき、図５中実線で示すように脚板２２の垂辺２３はコンソール２の傾斜部６の上面５よりも下方に配置される。したがって、このとき脚体１８は傾斜部６の上面５よりも下方に配置されるため、コンソールテーブル１は嵩張らなくなる。
【００３８】
一方、脚体１８を使用位置で保持するとき、図４に示すように、脚板２２は垂辺２３を上方に向け斜辺２７を下方に向けるとともに内側面２８をコンソール２側に向けた状態となる。
【００３９】
ここで、本第２の実施形態のコンソールテーブル１では突起部３０が斜辺２７側に位置しているため、突起部３０から垂辺２３までの距離は突起部３０から斜辺２７までの距離よりも長くなっている。したがって、脚体１８を使用位置で保持するとき、すなわち、脚板２２が垂辺２３を上方に向け斜辺２７を下方に向けた状態となるとき、図５中破線で示すように脚板２２の垂辺２３側の部分は傾斜部６よりも上方に配置される。したがって、２つの脚板２２の垂辺２３を通る平面が傾斜部６の上方で水平面ａを形成する。
【００４０】
第２の実施形態のコンソールテーブル１によると、第１の実施形態のコンソールテーブル１と同様に脚体１８を使用位置で保持することで、傾斜部６の上方に水平面ａを形成して大型の荷物を安定に保持できる。そして、脚体１８を収納位置で保持することで、コンソールテーブル１を嵩張らなくすることができる。
【００４１】
なお、第２の実施形態のコンソールテーブルでは、一対の脚体の垂辺を通る平面から水平面を形成しているが、上述と同様に、さらにコンソールの上面の少なくとも１点をとおる平面を水平面をすることもできる。さらに、第２の実施形態のコンソールテーブルでは、脚体はコンソールに対して脱着可能となっているが、上述と同様にスライド移動や揺動等によって脚体のコンソールに対する位置を変えることもできる。
【実施例】
【００４２】
以下、本発明のコンソールテーブル１を図面を基にして説明する。
【００４３】
（実施例１）
本発明の実施例１のコンソールテーブルは、第１発明に係るコンソールテーブルの１例である。本実施例１のコンソールテーブルを表す模式斜視図を図６および図７に示す。尚、図６はテーブル体が収納位置に保持されている様子を表し、図７はテーブル体が使用位置に保持されている様子を表す。
【００４４】
実施例１のコンソールテーブル１において、テーブル体３は、平板状に形成されたテーブル板１０と、テーブル板１０の前側下方に突出する突起部３０とを持つ。突起部３０の内部は、中空に形成されるとともにテーブル板１０の上方に開口している。この突起部３０の内部は、飲料の容器を保持するテーブル板のカップホルダ孔３１となる。
【００４５】
また、コンソール２の前端部には、上方に開口する孔状の固定孔１５が設けられている。この固定孔１５は、突起部３０を挿入しテーブル体３を使用位置に保持するための部分であるとともに、突起部３０が取り外された際には飲料の容器を保持するコンソールのカップホルダ孔３２となる。
【００４６】
テーブル体３を収納位置に保持するとき、図６中破線で示すように、テーブル体３はコンソール２の後側に設けられた箱状の収納空間８内に収納される。したがって、このときテーブル体３はコンソール２外方に突出せず、コンソールテーブル１は嵩張らなくなる。
【００４７】
一方、テーブル体３を使用位置に保持するときは、図７に示すように、突起部３０をコンソールのカップホルダ孔３２に挿入してテーブル板１０をコンソール２上方に配置する。このとき、テーブル体３の上面１６は傾斜部６の上方で水平面ａを形成する。したがって、この場合には、コンソールテーブル１に種々の荷物を安定して載置することが可能となる。
【００４８】
本実施例１のコンソールテーブル１によると、固定孔１５がコンソールのカップホルダ孔３２となり、突起部３０の内部がテーブル板のカップホルダ孔３１となっているため、テーブル体３を収納位置に保持するときには固定孔１５をカップホルダとして使用し、テーブル体３を使用位置に保持するときには突起部３０の内部をカップホルダとして使用することができる。このため、コンソールテーブル１に多くの機能を付与することができ、限られた空間である自動車の室内を有効に利用することができる。
【００４９】
尚、本実施例１のコンソールテーブルでは突起部３０内部にカップホルダを設けたが、突起体はこれに限らず種々の形状に形成することができ、例えば、突起部３０内部に小物入れ等を設けることもできるし、あるいは突起部３０内部に何も設けないこともできる。何れの場合にも、固定孔１５がコンソールのカップホルダ孔３２となっているため、少なくともテーブル体３を収納位置に保持するときには固定孔１５をカップホルダとして使用することができ、コンソールテーブル１は多くの機能が付与されたものとなる。
【００５０】
（実施例２）
本発明の実施例２のコンソールテーブルは、第１発明に係るコンソールテーブルの１例である。本実施例２のコンソールテーブルを表す模式斜視図を図８および図９に示す。尚、図８はテーブル体が収納位置に保持されている様子を表し、図９はテーブル体が使用位置に保持されている様子を表す。
【００５１】
本実施例２のコンソールテーブル１において、テーブル体３は、略コ字の枠状に形成されたテーブル板１０と、テーブル板１０の略コ字の２つの端部から下方に延びさらにコンソール２の側面３３方向に屈曲する突起部３０とからなる。また、コンソール２の左右側面３３には、傾斜部６の上面５と略平行に前後方向に延びるガイド溝３５が設けられている。このガイド溝３５の前端部、中央部および後端部には円形に凹んだ固定孔１５が形成されている。
【００５２】
本実施例２のコンソールテーブル１において、テーブル体３は突起部３０がガイド溝３５とスライド係合して前後方向にスライド移動するとともに、固定孔１５が設けられている３箇所では突起部３０が固定孔１５に落ち込んでスライド移動が停止する。さらに、突起部３０が固定孔１５に落ち込むと、突起部３０は固定孔１５に回動自在に枢支される。したがって、このときテーブル体３は突起部３０を中心に回動する。
【００５３】
さらに、テーブル体３の左右端側には柱状のストッパ脚３６が設けられている。このストッパ脚３６は長尺方向の後端部３７を中心としてテーブル体３に対して回動自在に取付されており、長尺方向がテーブル板１０の左右側面３４に略平行となる非突出位置からテーブル板１０のコ字状内部方向に前端部が突出する突出位置にまで変位可能となっている。ストッパ脚３６が回動し突出位置に変位すると、ストッパ脚３６がコンソール２の上面５と係止してテーブル体３の回動が干渉される。
【００５４】
本実施例２のコンソールテーブル１において、テーブル体３の突起部３０を固定孔１５に保持しストッパ脚３６を非突出位置に変位させると、テーブル体３は突起部３０を中心に自重で回動し、テーブル板１０の下面３８が傾斜部６の上面５に支持されてテーブル板１０の上面１６が傾斜部６の上面５と略平行となる。このときのテーブル体３の位置が収納位置となる。このとき、テーブル板１０は傾斜部６の上面５と近接して保持されるため、コンソールテーブル１は嵩張らなくなる。
【００５５】
また、テーブル体３をコンソール２の上方に回動させストッパ脚３６を突出位置に変位させると、ストッパ脚３６が傾斜部６の上面５と係止するため、テーブル板１０の上面１６が水平面ａを形成する位置で固定される。このときのテーブル体３の位置が使用位置となる。このとき、テーブル板１０の上面１６が水平面ａを形成するため、この水平面ａに大型の荷物を安定して載置できるようになる。
【００５６】
本実施例２のコンソールテーブル１において、テーブル体３は突起部３０がガイド溝３５とスライド係合して前後後方にスライド移動し、ガイド溝３５内の３箇所で回動自在に枢支される。したがって、荷物を載置したい場所に応じて、水平面ａをコンソール２上の種々の位置に形成することができるため、コンソールテーブル１の汎用性が高くなる。
【００５７】
尚、本実施例２のコンソールテーブル１においては、テーブル体３は前後方向にスライド移動自在となっているが、ガイド溝３５を設けず固定孔１５のみを設けることもできる。この場合には、突起部３０を固定孔１５に対して適宜脱着することで、テーブル体３を所望する位置で保持するとともに、突起部３０を中心にテーブル体３を回動させることで使用位置と収納位置との間で変位させることができる。したがって、本実施例２のコンソールテーブル１と同様に種々の位置で水平面を形成することが可能となる。
【００５８】
（実施例３）
本発明の実施例３のコンソールテーブルは、第１発明に係るコンソールテーブルの１例である。本実施例３のコンソールテーブルを表す模式斜視図を図１０および図１１に示す。尚、図１０はテーブル体が収納位置から僅かに引き出されている様子を表し、図１１はテーブル体が使用位置に保持されている様子を表す。
【００５９】
本実施例３のコンソールテーブル１において、テーブル体３は、略平板状のテーブル板１０と略平板状の突起部３０とを持つ。テーブル板１０は突起部３０に対して回動自在に取付され、突起部３０はコンソール２の収納空間８に設けられた固定孔１５に挿入されて固定される。突起部３０にはテーブル板１０の形状と対応した形状のテーブル板収納凹部４０が形成され、このテーブル板収納凹部４０はテーブル板１０を内部に収納できるようになっている。
【００６０】
テーブル体３を収納位置に保持するときには、テーブル板１０は突起部３０とともに固定孔１５内部に収納される。このとき、テーブル板１０を突起部３０に対して回動させテーブル板収納凹部４０に収納することで、テーブル体３の外形は小さくなり、テーブル体３の収納に要する空間は小さなもので済む。そして、テーブル体３はコンソール２の固定孔１５に収納されるため、コンソールテーブル１は嵩張らなくなる。さらにこのとき、テーブル体３を保持する固定孔１５にテーブル体３が収納されるため、テーブル体３を収納するためのテーブル体収納空間を別途設ける必要はなく、コンソール２の内部をその他の用途に有効に使用することができる。
【００６１】
テーブル体３を使用位置に保持するときには、図１０に示すようにテーブル板１０を固定孔１５内部から上方に引き出し、図１１に示すようにテーブル板１０を固定孔１５の上方で突起部３０に対して回動させる。そしてテーブル板１０の下面３８を突起部３０の上面と係合させて回動を停止させ、テーブル板１０の上面１６で傾斜部６の上方に水平面ａを形成する。このとき、突起部３０を再度固定孔１５に押し込んで固定することで、テーブル板１０はコンソール２に安定に保持される。
【００６２】
（実施例４）
本発明の実施例４のコンソールテーブルは、第１発明に係るコンソールテーブルの１例である。本実施例４のコンソールテーブルを表す模式斜視図を図１２および図１３に示す。尚、図１２はテーブル体が収納位置に保持されている様子を表し、図１３はテーブル体が使用位置に保持されている様子を表す。
【００６３】
本実施例４のコンソールテーブル１において、テーブル体３は、略コ字の枠状に形成されたテーブル板１０とテーブル板１０の略コ字の２つの端部からテーブル板１０の平板面２１に対して略垂直方向に延びる突起部３０とからなる。突起部３０の２つの突出端には孔状の回動孔４１が設けられ、各々の回動孔４１はコンソール２の収納空間８の前側上端に設けられた図示しない回動軸に回動可能に枢支されている。
【００６４】
テーブル体３を収納位置に保持するときには、テーブル板１０および突起部３０をコンソール２内部に設けられた収納空間８に収納する。したがって、このとき、コンソールテーブル１は嵩張らなくなる。またこのとき、テーブル板１０の下面３８が上方にテーブル板１０の上面１６が下方に配置され、テーブル板１０の下面３８は収納空間８内部で水平面ａを形成する。このため収納位置に保持された状態のテーブル体３にも荷物を安定して載置することができる。
【００６５】
そして、テーブル体３を使用位置に保持するときには、回動孔４１を中心にテーブル体３を回動させて傾斜部６上方にテーブル板１０を表出させる。このときテーブル板１０の上面１６が上方に下面３８が下方に配置されて、テーブル板１０の上面１６は傾斜部６上方で水平面ａを形成し、この水平面ａに種々の荷物を安定して載置できるようになる。
【００６６】
（実施例５）
本発明の実施例５のコンソールテーブルは、第１発明に係るコンソールテーブルの１例である。本実施例５のコンソールテーブルを表す要部拡大模式斜視図を図１４および図１５に示す。尚、図１４はテーブル体が収納位置に保持されている様子を表し、図１５はテーブル体が使用位置に保持されている様子を表す。
【００６７】
本実施例５のコンソールテーブル１において、テーブル体３は、略コ字の枠状に形成されたテーブル板１０とテーブル板１０の略コ字の２つの端部からコンソール２方向に延びる図示しない突起部とからなる。各々の突起部はコンソール２のうち傾斜部６上端の中央部に設けられた図示しない回動孔に回動可能に枢支されている。また、傾斜部６上面５のうち回動孔よりも前端側には、テーブル板１０の下側部の形状と対応した形状のテーブル体収納凹部４３が設けられている。
【００６８】
テーブル体３は、突起部と一体になり後側に配置される後側部４５と、前側に配置される略コ字状の前側部４６と、前側部４６と後側部４５とを連結する連結部４７とからなる。連結部４７は前側部４６および後側部４５よりも細い柱状の形状を持ち、一端が後側部４５に一体に連結されている。前側部４６は後側部４５側の端部が中空に形成されており、この中空内部に連結部４７の他端が挿入されている。したがって、テーブル体３のうち前側部４６は連結部４７と後側部４５とに対してスライド移動自在となっている。
【００６９】
テーブル体３が収納位置に保持されると、テーブル板１０および突起部は傾斜部６上面５に設けられたテーブル体収納凹部４３に収納される。したがって、テーブル体３が収納位置に配置されると、コンソールテーブル１は嵩張らなくなる。またこのとき、図１４に示すように、テーブル体３の前側部４６を後側部４５方向にスライド移動させるとともに連結部４７を中空内部に収納して、テーブル体３の外形を小さくする。テーブル体３の外形を小さくすることで、テーブル体３の収納に要する空間は小さなもので済む。
【００７０】
そして、テーブル体３が使用位置に保持されるときには、突起部を中心にテーブル体３を回動させて傾斜部６上方にテーブル板１０を表出させる。このときテーブル板１０の上面１６は傾斜部６の上方で水平面ａを形成する。またこのとき、図１４に示すようにテーブル板１０の前側部４６を前側にスライド移動させることで連結部４７を表出させ、テーブル体３の外形を大きくすることで、水平面ａをより大きく形成することができ、この水平面ａに種々の荷物を安定して載置できるようになる。
【００７１】
（実施例６）
本発明の実施例６のコンソールテーブルは、第１発明に係るコンソールテーブルの１例である。本実施例６のコンソールテーブルを表す要部拡大模式斜視図を図１６および図１７に示す。尚、図１６はテーブル体が収納位置に保持されている様子を表し、図１７はテーブル体が使用位置に保持されている様子を表す。
【００７２】
本実施例６のコンソールテーブル１において、テーブル体３は、略コ字の枠状に形成されたテーブル板１０とテーブル板１０の略コ字の２つの端部からコンソール２方向に延びる突起部３０とからなる。各々の突起部３０は傾斜部６の上端前側に固定され、テーブル板１０は突起部３０に対して回動可能に枢支されている。また、傾斜部６上面５のうち突起部３０が固定されている位置よりも後側には、テーブル板１０の下側部の形状に対応したテーブル体収納凹部４３が設けられている。また、テーブル板１０の上面１６の左右端部には一対の突起状のテーブル体側支持脚４８が設けられ、傾斜部６上面５のうち突起部３０が固定されている位置よりも後側の左右端部にもまた一対の突起状のコンソール側支持脚５０が設けられている。
【００７３】
テーブル体３が収納位置に保持されると、図１６に示すように、テーブル板１０は傾斜部６上面５に設けられたテーブル体収納凹部４３に収納される。したがって、テーブル体３が収納位置に配置されると、コンソールテーブル１は嵩張らなくなる。
【００７４】
そして、テーブル体３が使用位置に保持されるときには、図１７に示すように、テーブル板１０を突起部３０に対して回動させて傾斜部６上方にテーブル板１０を表出させる。このときテーブル板１０の上面１６は傾斜部６の上方で水平面を形成する。またこのとき、テーブル体３に設けられた一対のテーブル体側支持脚４８とコンソール２に設けられた一対のコンソール側支持脚５０とを通る平面もまた水平面となる。したがって、テーブル体３のコ字状内部５１よりも大形でありテーブル板１０よりも小形の荷物は、テーブル板１０の上面１６のみから形成される水平面に安定して載置され、テーブル板１０よりも大形の荷物は一対のテーブル体側支持脚４８と一対のコンソール側支持脚５０とによって形成される水平面に安定して載置される。したがって、本実施例６のコンソールテーブル１によると、より小形のテーブル体３により大形の荷物を安定して載置することができ、荷物を載置しないときに嵩張らないコンソールテーブル１であっても大型の荷物を安定に載置することが可能となる。
【００７５】
（実施例７）
本発明の実施例７のコンソールテーブルは、第１発明に係るコンソールテーブルの１例である。本実施例７のコンソールテーブルを表す模式斜視図を図１８および図１９に示す。尚、図１８はテーブル体が使用位置に保持されている様子を表し、図１９はテーブル体がコンソール後方で保持されている様子を表す。
【００７６】
本実施例７のコンソールテーブル１において、テーブル体３は、略平板状に形成されたテーブル板１０と、テーブル板１０の側面３４と略同じ長さの上側部５２と上側部５２から下方に延びる脚部５３とからなる略倒立Ｌ字状の突起部３０とからなる。テーブル板１０の左右側面３４には前後方向に延びるテーブル板側スライド凸部５５が設けられ、突起部３０の内側面５６の上側部５２側には水平に前後方向に延びる突起部側ガイド溝５７が設けられている。テーブル板１０と突起部３０とは、テーブル板側スライド凸部５５と突起部側ガイド溝５７とがスライド係合して一体化されている。
【００７７】
さらに、突起部３０の内側面５６のうち脚部５３側には前後方向に延びる図示しない突起部側スライド凸部が設けられている。そして、コンソール２の左右側面３３には、水平に前後方向に延びるコンソール側ガイド溝６１が設けられている。
【００７８】
本実施例７のコンソールテーブル１では、突起部側スライド凸部がコンソール側ガイド溝６１とスライド係合している。したがって、テーブル体３はコンソール２に対して前後方向にスライド移動する。そして、テーブル板１０は突起部３０に対して前後方向にスライド移動する。
【００７９】
また、コンソール側ガイド溝６１は水平方向に延びるため、テーブル体３は水平方向にスライド移動する。さらに、突起部側ガイド溝５７もまた水平方向に延びるため、テーブル板１０は突起部３０によって水平方向に保持されつつスライドする。このため、本実施例７のコンソールテーブル１では、テーブル板１０の上面１６は常に水平面を形成したままスライド移動することとなり、テーブル体３は常に使用位置に保持されていることとなる。ここで、特に図示しないが、テーブル体３をコンソール２中央部から後部側の上方にスライド移動させると、テーブル体３とコンソール２の上面５とが近接し、コンソールテーブル１が嵩張らなくなる。この位置がテーブル体３の収納位置となる。すなわち、本実施例７においては、テーブル体３の使用位置の一部がテーブル体３の収納位置ともなる。
【００８０】
テーブル体３を前方にスライド移動させると、テーブル体３は運転席および助手席と近接した位置に配置されるため、運転席および助手席用のテーブルとして使用することができる。また、テーブル体３を後方にスライド移動させると、テーブル体３は後部座席と近接した位置に配置されるため、後部座席用のテーブルとして使用することができる。何れの場合も、テーブル板１０の上面１６が水平面を形成するため、種々の形状の荷物を安定して載置することができる。
【００８１】
さらに、テーブル板１０は突起部３０に対して前後方向にスライド移動するため、テーブル板１０の配置範囲はさらに大きくなる。このため、本実施例７のコンソールテーブル１は、荷物を載置しない場合に嵩張らない小形のコンソールテーブルであるにもかかわらず、荷物を載置可能な範囲がより広くなる。
【００８２】
（実施例８）
本発明の実施例８のコンソールテーブルは、第１発明に係るコンソールテーブルの１例である。本実施例８のコンソールテーブルのうちコンソール２を表す模式斜視図を図２０に示し、本実施例８のコンソールテーブルを表す模式斜視図を図２１および図２２に示す。尚、図２１はテーブル体が収納位置に保持されている様子を表し、図２２はテーブル体が使用位置に保持されている様子を表す。
【００８３】
本実施例８のコンソールテーブル１において、テーブル体３は、略平板状に形成されたテーブル板１０と、テーブル板１０を回動可能に枢支する柱状の突起部３０とからなる。この突起部３０は、長尺方向に伸縮自在となっている。
【００８４】
コンソール２の後側には、収納空間８が設けられている。この収納空間８のうち前側底面６２には、図２０に示すように、突起部３０の下端が挿入される収納側固定孔６３が設けられている。また、傾斜部６には、収納側固定孔６３と同形状の使用側固定孔６５が左右に２箇所ずつ合計４箇所に設けられている。
【００８５】
突起部３０を長尺方向に縮めた状態で収納側固定孔６３に挿入し固定すると、図２１に示すように、テーブル体３が収納空間８内に収納されて収納位置で保持される。また、このとき突起部３０を長尺方向に伸ばすと、テーブル体３は収納空間８上方に表出して、傾斜部６上方で保持される。そしてこのときテーブル板１０を突起部３０に対して回動させ、テーブル板１０の上面１６によって水平面を形成すると、テーブル体３は使用位置で保持される。
【００８６】
また、図２２に示すように、突起部３０を使用側固定孔６５に挿入し固定すると、テーブル体３は傾斜部６上方で保持される。そしてこのときテーブル板１０を突起部３０に対して回動させ、テーブル板１０の上面１６によって水平面を形成すると、テーブル体３は使用位置で保持される。そして、突起部３０を４箇所の使用側固定孔６５に付け替えることで、車室内におけるテーブル体３の配置範囲がより広くなる。
【００８７】
尚、テーブル体３を収納位置で保持する場合、テーブル板１０の上面１６が水平面を形成するようにテーブル板１０を回動させると、収納位置に保持された状態のテーブル体３にも荷物を安定して載置することができる。
【００８８】
（実施例９）
本発明の実施例９のコンソールテーブルは、第２発明に係るコンソールテーブルの１例である。本実施例９のコンソールテーブルを表す模式斜視図を図２３および図２４に示す。尚、図２３は脚体が収納位置に保持されている様子を表し、図２４は脚体が使用位置に保持されている様子を表す。
【００８９】
本実施例９のコンソールテーブル１は、一対の脚体１８を持つ。各々の脚体１８は、後側６６が上下方向に短く前側６７が上下方向に長く形成されている。各々の脚体１８は、内側分体６８と外側分体７０との２つの分体からなる中空形状に形成され、このうち外側分体７０は内側分体６８に対して開閉可能となっている。また、各々の脚体１８のうち内側分体６８の後部には回動孔４２が設けられ、この回動孔４２はコンソール２の左右側面３３から外方に突出する図示しない回動軸に各々回動可能に枢支されている。
【００９０】
さらに、コンソール２の左右側面３３には、各々脚体１８の内側分体６８の形状に対応した形状の脚体収納凹部２０が形成されている。そして、各々の脚体収納凹部２０には脚体１８の上方向の回動を付勢する図示しない付勢手段が設けられている。この付勢手段は、１対の脚体１８を同期して回動するための同期手段としての働きももつ。また、脚体収納凹部２０には、脚体１８の上方向の回動を規制する図示しないロック手段が設けられている。このロック手段は脚体１８を下方向に回動させるとロックして脚体１８の上方向の回動を規制するとともに、ロックした状態でさらに脚体１８を下方向に回動させるとロックが解除されるようになっている。
【００９１】
脚体１８を収納位置で保持するとき、脚体１８の上面７１が傾斜部６の上面５よりも下方に配置されるように、ロック手段で脚体１８の上方向の回動を規制する。このとき、図２３に示すように、脚体１８は傾斜部６の上面５よりも下方で保持され、脚体１８のうち内側分体６８は脚体収納凹部２０に収納される。したがって、脚体１８が収納位置で保持されるとコンソールテーブル１は嵩張らなくなる。
【００９２】
一方、脚体１８を使用位置で保持するとき、収納位置で保持されている脚体１８をさらに下方に回動させてロックを解除するとともに、脚体１８を付勢手段によって上方向に回動させる。このとき、図２４に示すように、脚体１８の上面７１は傾斜部６の上面５よりも上方に配置され、一対の脚体１８の上面７１を通る面が水平面を形成する。したがって、この水平面に荷物を安定して載置することが可能となる。
【００９３】
尚、本実施例９のコンソールテーブル１においては、脚体１８内部が中空となり、脚体１８の外側分体７０が内側分体６８に対して開閉可能となっているため、この中空内部を小形の荷物を収納する収納空間となる。このため、本実施例９のコンソールテーブル１は多くの機能が付与されたものとなる。
【００９４】
（実施例１０）
本発明の実施例１０のコンソールテーブルは、第２発明に係るコンソールテーブルの１例である。本実施例１０のコンソールテーブルを表す模式斜視図を図２５および図２７に示し、図２５中Ａ−Ａ’における模式断面図を図２６に示し、図２７中Ａ−Ａ’における模式断面図を図２８に示す。尚、図２５は脚体が収納位置に保持されている様子を表し、図２８は脚体が使用位置に保持されている様子を表す。
【００９５】
本実施例１０のコンソールテーブル１は、一対の脚体１８を持つ。各々の脚体１８は略平板状の突起部３０と断面Ｌ字状の脚板２２とからなる。脚板２２は、下端部７２が突起部３０の側壁面７３のうち上下方向の略中央部に回動可能に枢支され、突起部３０に略平行となる位置から突起部３０の側壁面７３に対して開く位置にまで回動する。また脚板２２と突起部３０との間には図示しない第１の付勢手段が設けられている。この第１の付勢手段によって、脚板２２は突起部３０に対して開く位置に回動するように付勢されている。
【００９６】
コンソール２の傾斜部６の左右端側には各々固定孔１５が設けられ、脚体１８のうち突起部３０の下端部７５はこの固定孔１５に挿入されている。また、固定孔１５の下側部には図示しない第２の付勢手段が設けられ、この第２の付勢手段によって突起部３０はその上端部７６が固定孔１５の上方に表出するように付勢されている。また固定孔１５の下側部には、第２の付勢手段による突起部３０の上方向への移動を規制する図示しないロック手段が設けられている。このロック手段は、突起部３０が下方向に押し込まれるとロックして突起部３０の上方向への移動を規制するとともに、ロックした状態でさらに脚体１８を下方向に押し込むとロックが解除されるようになっている。
【００９７】
脚体１８を固定孔１５に下方向に押し込むと、脚板２２は固定孔１５の周縁部７７によって突起部３０方向に押圧される。この押圧で脚板２２は突起部３０と略平行となる位置に回動し、図２５および図２６に示すように、脚体１８は固定孔１５の内部に収納される。そしてこのとき突起部３０がロック手段によって固定孔１５の内部にロックされる。したがって、脚体１８のうち突起部３０は、その全体が固定孔１５の内部に収納される。そして、脚板２２は突起部３０とともに固定孔１５に収納されて上端部７６のみが固定孔１５の上方に僅かに表出する。このため、コンソールテーブル１は嵩張らなくなる。このときの脚体１８の位置が収納位置となる。
【００９８】
収納位置で保持されている脚体１８のうち脚板２２の上端部７６を押し、脚体１８を下方向に押し込むと、ロック手段が解除され、第２の付勢手段によって突起部３０が上方向に付勢される。突起部３０が付勢され上方向に移動すると、脚板２２は固定孔１５の上方に表出するため、周縁部７７による脚板２２の突出部方向への押圧が解除される。したがって脚板２２は第１の付勢手段によって付勢されて、図２７および図２８に示すように、突起部３０に対して開く位置に回動する。このとき、２つの脚板２２の上面７８は傾斜部６の上面５よりも上方に配置され、２つの脚板２２の上面７８を通る平面が水平面を形成する。このときの脚体１８の位置が使用位置となる。
【００９９】
本実施例１０のコンソールテーブル１では、脚体１８を使用位置で保持するとき、２つの脚板２２の上面７８を通る平面がコンソール２の傾斜部６よりも上方で水平面を形成する。したがって、この水平面に荷物を安定して載置することが可能となる。またこのとき、脚板２２が突起部３０に対して開くため脚体１８の外形は大きくなり、水平面は大きく形成される。したがって、荷物を載置しないときに嵩張らないコンソールテーブルであっても大型の荷物を安定に載置することが可能となる。
【図面の簡単な説明】
【０１００】
【図１】第１の実施形態のコンソールテーブルのうち、テーブル体が使用位置に保持されている様子を表す模式斜視図である。
【図２】第１の実施形態のコンソールテーブルのうち、テーブル体が収納位置に保持されている様子を表す模式斜視図である。
【図３】第２の実施形態のコンソールテーブルのうち、テーブル体が収納位置に保持されている様子を表す模式斜視図である。
【図４】第２の実施形態のコンソールテーブルのうち、テーブル体が使用位置に保持されている様子を表す模式斜視図である。
【図５】第２の実施形態のコンソールテーブルを表す模式側面図である。
【図６】実施例１のコンソールテーブルのうち、テーブル体が収納位置に保持されている様子を表す模式断面図である。
【図７】実施例１のコンソールテーブルのうち、テーブル体が使用位置に保持されている様子を表す模式断面図である。
【図８】実施例２のコンソールテーブルのうち、テーブル体が収納位置に保持されている様子を表す模式断面図である。
【図９】実施例２のコンソールテーブルのうち、テーブル体が使用位置に保持されている様子を表す模式斜視図である。
【図１０】実施例３のコンソールテーブルのうち、テーブル体が収納位置から僅かに引き出されている様子を表す模式斜視図である。
【図１１】実施例３のコンソールテーブルのうち、テーブル体が使用位置に保持されている様子を表す模式斜視図である。
【図１２】実施例４のコンソールテーブルのうち、テーブル体が収納位置に保持されている様子を表す模式斜視図である。
【図１３】実施例４のコンソールテーブルのうち、テーブル体が使用位置に保持されている様子を表す模式斜視図である。
【図１４】実施例５のコンソールテーブルのうち、テーブル体が収納位置に保持されている様子を表す要部拡大模式斜視図である。
【図１５】実施例５のコンソールテーブルのうち、テーブル体が使用位置に保持されている様子を表す要部拡大模式斜視図である。
【図１６】実施例６のコンソールテーブルのうち、テーブル体が収納位置に保持されている様子を表す要部拡大模式斜視図である。
【図１７】実施例６のコンソールテーブルのうち、テーブル体が使用位置に保持されている様子を表す要部拡大模式斜視図である。
【図１８】実施例７のコンソールテーブルのうち、テーブル体が使用位置に保持されている様子を表す模式斜視図である。
【図１９】実施例７のコンソールテーブルのうち、テーブル体がコンソール後方に保持されている様子を表す模式斜視図である。
【図２０】実施例８のコンソールテーブルのうち、コンソールを表す模式斜視図である。
【図２１】実施例８のコンソールテーブルのうち、テーブル体が収納位置に保持されている様子を表す模式斜視図である。
【図２２】実施例８のコンソールテーブルのうち、テーブル体が使用位置に保持されている様子を表す模式斜視図である。
【図２３】実施例９のコンソールテーブルのうち、脚体が収納位置に保持されている様子を表す模式斜視図である。
【図２４】実施例９のコンソールテーブルのうち、脚体が使用位置に保持されている様子を表す模式斜視図である。
【図２５】実施例１０のコンソールテーブルのうち、脚体が収納位置に保持されている様子を表す模式斜視図である。
【図２６】図２５中Ａ−Ａ’における模式断面図である。
【図２７】実施例１０のコンソールテーブルのうち、脚体が使用位置に保持されている様子を表す模式断面図である。
【図２８】図２７中Ａ−Ａ’における模式断面図である。
【符号の説明】
【０１０１】
１：コンソールテーブル  ２：コンソール  ３：テーブル体  ６：傾斜部  １０：テーブル板  １５：固定孔  ａ：水平面  １８：脚体  ３０：突起部
【図１】
2005112084.tif 000003
【図２】
2005112084.tif 000004
【図３】
2005112084.tif 000005
【図４】
2005112084.tif 000006
【図５】
2005112084.tif 000007
【図６】
2005112084.tif 000008
【図７】
2005112084.tif 000009
【図８】
2005112084.tif 000010
【図９】
2005112084.tif 000011
【図１０】
2005112084.tif 000012
【図１１】
2005112084.tif 000013
【図１２】
2005112084.tif 000014
【図１３】
2005112084.tif 000015
【図１４】
2005112084.tif 000016
【図１５】
2005112084.tif 000017
【図１６】
2005112084.tif 000018
【図１７】
2005112084.tif 000019
【図１８】
2005112084.tif 000020
【図１９】
2005112084.tif 000021
【図２０】
2005112084.tif 000022
【図２１】
2005112084.tif 000023
【図２２】
2005112084.tif 000024
【図２３】
2005112084.tif 000025
【図２４】
2005112084.tif 000026
【図２５】
2005112084.tif 000027
【図２６】
2005112084.tif 000028
【図２７】
2005112084.tif 000029
【図２８】
2005112084.tif 000030